(57)【要約】      （修正有）【課題】外観品位を損ねることなく十分な静圧強度を備え、表示ユニットを備えた電子機器の薄型化を実現する。【解決手段】収納時に撮像装置の背面部に表示ユニットが配置され、撮像装置と第一プレートは第一軸で、第一プレートと第二プレートは第二軸１４で締結され、第二プレートは表示ユニットと締結される。表示ユニットは表示部外装とＬＣＤユニット１７で構成され、表示部外装には凹形状のＬＣＤ窓収納部が設けられており、ＬＣＤユニットが嵌め込まれている。表示ユニットは第一軸、第二軸に対し回転自在で軸支され、撮像装置の正面からも確認可能にするヒンジユニットを搭載する事を特徴とする。第二軸は撮像装置の背面からの投影上、ＬＣＤユニットと重ならず、第二軸回転中心近傍の第一プレートと第二プレートの少なくとも一方は、撮像装置の厚み方向でＬＣＤ窓収納部よりも外観側に第一プレートまたは、第二プレートの少なくとも一方が配置される。【選択図】図１
2020046607.tif 000002
【特許請求の範囲】
【請求項１】
収納時には撮像装置の背面部に表示ユニットが配置され、
前記撮像装置と第一プレートを締結する第一軸と、
前記第一プレートと第二プレートを締結する第二軸を有し、
前記第二プレートには前記表示ユニットが締結されており、
前記表示ユニットは表示部外装とＬＣＤユニットで構成され、
前記表示部外装には前記表示部外装に対して凹形状のＬＣＤ窓収納部が設けられており、
前記ＬＣＤ窓収納部には前記ＬＣＤユニットが嵌め込まれ、
前記表示ユニットには前記第一軸ならびに前記第二軸に対し回転自在で軸支される事で前記表示ユニットを前記撮像装置に正面からも確認可能にするヒンジユニットを搭載する撮像装置において、
前記第二軸の配置は前記撮像装置の背面からの投影上、ＬＣＤユニットと重ならず、
前記第二軸回転中心近傍の前記第一プレートと前記第二プレートの少なくとも一方は、撮像装置の厚み方向で前記ＬＣＤ窓収納部よりも外観側に前記第一プレートまたは、前記第二プレートの少なくとも一方が配置されることを特徴とする撮像装置。
【請求項２】
前記第二軸の回転中心は前記ＬＣＤユニットの上端部よりも上方に設けられていることを特徴とする請求項１に記載の撮像装置。
【請求項３】
前記第二軸を含む前記第一プレートまたは前記第二プレートの少なくとも一方の側面部は、撮像装置の幅方向で前記ＬＣＤユニットよりも外側に配置されていることを特徴とする請求項１又は請求項２に記載の撮像装置。
【発明の詳細な説明】
【技術分野】
【０００１】
本発明は、撮像装置や携帯情報端末等の電子機器に関し、特に、電子機器本体に対して可動に取り付けられる液晶ディスプレイ等の表示装置の支持構造に関する。
【背景技術】
【０００２】
デジタルカメラ等の撮像装置では、撮影中の被写体像の確認や撮影された画像の再生表示、撮像装置の各種設定を行うためのメニュー表示等に用いられる液晶ディスプレイ（ＬＣＤ）等の表示部が設けられている。
【０００３】
表示部を含む表示ユニットが撮像装置本体に対してチルト表示可能な状態に支持されているものもあり、表示ユニットを１８０°回転させて、撮影者が自身を表示部で確認しながら撮影を行う、所謂、自分撮りを容易に行うことができる撮像装置もある。
【０００４】
表示部を含む表示ユニットが撮像装置本体に対して自分撮りを含めたチルト表示可能な状態に支持されているものとして、特許文献１が開示されている。
【先行技術文献】
【特許文献】
【０００５】
【特許文献１】特開２０１５−１４４３６１号公報
【発明の概要】
【発明が解決しようとする課題】
【０００６】
しかしながら、上述の特許文献に開示された従来技術では、表示装置をスライドさせた際に、回転自在に軸支される回転軸を露出させる切り欠き部を設ける必要があり、また、表示装置が本体に収納された際に、別途カバー部材を設け、前記切り欠き部を塞ぐ必要があり、切欠き部を設けるＬＣＤユニット上面部の外観美観を損なってしまう。
【０００７】
また、撮像装置は常に薄型化を求められている。表示部を含む表示ユニットを薄型化するためには、ＬＣＤユニットの薄型化と、ヒンジユニットの薄型化を同時に実現する必要があるが、ヒンジユニットの薄型化は、表示ユニットの静圧強度を維持しながら進めていかなければならない。
【０００８】
前記問題点に鑑みて本発明は、表示ユニット（表示装置）を備える電子機器において、表示ユニットの外観品位を損ねることなく、十分な静圧強度を備える表示ユニットを有する電子機器の薄型化を実現することを目的とする。
【課題を解決するための手段】
【０００９】
上記の目的を達成するために、本発明に係る電子機器は、
収納時には撮像装置の背面部に表示ユニットが配置され、前記撮像装置と第一プレートを締結する第一軸と、前記第一プレートと第二プレートを締結する第二軸を有し、前記第二プレートには前記表示ユニットが締結されており、前記表示ユニットは表示部外装とＬＣＤユニットで構成され、前記表示部外装には前記表示部外装に対して凹形状のＬＣＤ窓収納部が設けられており、前記ＬＣＤ窓収納部には前記ＬＣＤユニットが嵌め込まれ、前記表示ユニットには前記第一軸ならびに前記第二軸に対し回転自在で軸支される事で前記表示ユニットを前記撮像装置に正面からも確認可能にするヒンジユニットを搭載する撮像装置において、前記第二軸の配置は前記撮像装置の背面からの投影上、ＬＣＤユニットと重ならず、前記第二軸回転中心近傍の前記第一プレートと前記第二プレートの少なくとも一方は、撮像装置の厚み方向で前記ＬＣＤ窓収納部よりも外観側に前記第一プレートまたは、前記第二プレートの少なくとも一方が配置されることを特徴とする。
【発明の効果】
【００１０】
本発明に係る電子機器によれば、表示ユニット（表示装置）を備える電子機器において、表示ユニットの外観品位を損ねることなく、十分な静圧強度を備える表示ユニットを有する電子機器の薄型化を実現することを目的とする。
【図面の簡単な説明】
【００１１】
【図１】図２中に示すＡ−Ａ断面で切断した断面図
【図２】（ａ）は実施例のカメラの正面斜視図、（ｂ）は同カメラの背面図
【図３】（ａ）は撮影者が自身を表示部で確認しながら撮影を行う状態（正面斜視図）、（ｂ）は撮影者が自身を表示部で確認しながら撮影を行う状態（背面斜視図）
【図４】チルトヒンジユニットの正面斜視図
【図５】本発明を適用しない場合の図２の（ｂ）に示す断面Ａ−Ａにて切断した、表示ユニットがカメラに密着した収納状態の断面図
【発明を実施するための形態】
【００１２】
以下、図を用いて、本発明に係る実施の形態を説明する。
【実施例】
【００１３】
図２の（ａ）および（ｂ）は、本実施の形態に係るチルト表示ユニットを搭載した、カメラの正面および背面図である。
【００１４】
カメラ１は撮像素子２を有し、表示ユニット３を介してカメラ使用者は被写体像を確認することが出来る。レリーズボタン４にて撮影準備、及び撮影開始指示を行い、電源レバー５はカメラの電源のＯＮ、ＯＦＦ機能を持つ、モードダイヤル６にて様々な撮影モードを切り替えることが可能であり、７は閃光発光装置である。閃光発光装置７は手動で上下可能であり、図２ａおよび図２ｂは収納されている状態である。本実施例において、様々な方向を示す場合があるが、図２ｂに示すカメラの右方向をＸ方向、上方向をＹ方向、不図示ではあるが、Ｘ方向とＹ方向にそれぞれ直行し、撮影者に向かう方向をＺ方向と定義する。
【００１５】
図３の（ａ）は本実施の形態に係るチルト表示ユニットを搭載したカメラ１において、表示ユニット３を１８０°回転させて、撮影者が自身を表示部で確認しながら撮影を行う状態を示すカメラの正面斜視図であり、（ｂ）はカメラの背面斜視図である。また、図４は図３の（ｂ）の状態におけるチルトヒンジユニット１０のみを図示した図である。
【００１６】
表示ユニット３は、カメラ１に密着した収納状態である図２と、図３に示した本体１の正面側に表示ユニット３が向いた状態との間で、後述する第二軸１４を用いた回転により、略１８０°回転自在となっている。
【００１７】
カメラ１と表示ユニット３は、複数の回転軸を有するチルトヒンジユニット１０を通じて締結され、チルトヒンジユニット１０は、ヒンジスタンド１１、第一軸１２、第一プレート１３、第二軸１４、第二プレート１５で構成されている。ヒンジスタンド１１はカメラ１とビスにて締結され、また、ヒンジスタンド１１には第一軸１２が設けられ、第一プレート１３と回転自在に軸支されている。第一のプレート１３の他端には第二軸１４が設けられ、また、表示ユニット２に含まれる第二プレート１５と回転自在に軸支されている。第二プレート１５は、側面部で第二軸１４の軸部を構成しながら、表示ユニット３の背面側外装を兼ねている。
【００１８】
表示ユニット３のＺ方向薄型化を行う場合、第二プレート１５の側面部のカメラ厚み、すなわちＺ方向の高さを低くしていく必要があるが、単純に高さを低くしていくと、第二軸１４周囲の第二プレート１５のＺ方向の幅が狭くなってしまう。
【００１９】
図５は本発明を適用しない場合の図２の（ｂ）に示す断面Ａ−Ａにて切断した、表示ユニット３がカメラ１に密着した収納状態の断面図である。表示ユニット３には、表示部外装１６と第二プレート１５が、この断面では不図示の箇所にてビスにて締結されている。表示部外装１６には、表示部外装１６に対して凹形状のＬＣＤ窓収納部１６−ａが設けられており、ＬＣＤ窓収納部１６−ａには、ＬＣＤユニット１７が−Ｚ方向から取り付けられている。また、ＬＣＤユニット１７は両面テープ１８を介して表示部外装１６に貼り付けられている。
【００２０】
第二軸１４の回転中心から第二プレート１５の側壁部までのＺ方向幅Ｂは、第二軸１４の回転中心からＬＣＤ窓収納部１６−ａまでのＺ方向幅Ｃに比べ短い。撮影者が表示ユニット３を１８０°回転状態から更に回転させた際、第二軸１４近傍の第二プレート１５に対して単位面積あたりで大きな力が加わり、第二軸１４周囲の第二プレート１５が変形してしまう事がある。
【００２１】
図１は本発明を適用し、図２の（ｂ）に示す断面Ａ−Ａにて切断した、表示ユニット３がカメラ１に密着した収納状態の断面図である。表示ユニット３には、表示部外装１６と第二プレート１５が、この断面では不図示の箇所にてビスにて締結されている。表示部外装１６には、表示部外装１６に対して凹形状のＬＣＤ窓収納部１６−ａが設けられており、ＬＣＤ窓収納部１６−ａには、ＬＣＤユニット１７が−Ｚ方向から取り付けられている。また、ＬＣＤユニット１７は両面テープ１８を介して表示部外装１６に貼り付けられている。
【００２２】
図１に示すように、第二軸１４とＬＣＤユニット１７とがカメラ１のＺ方向で重ならない事を特徴としている。第二軸１４とＬＣＤユニット１７とがカメラ１のＺ方向で重ならない事で、表示ユニット３のＺ方向薄型化が可能となる。また、表示ユニット３を１８０°回転させ、撮影者が自身を表示部で確認しながら撮影する際に、ＬＣＤユニット１７がカメラ１自身の陰に隠れてしまう事を防止するメリットもある。
【００２３】
不図示ではあるが、第二プレート１５の側面部とＬＣＤユニット１７とがカメラ１のＸ方向で重ならない事を特徴としている。第二プレート１５の側面部とＬＣＤユニット１７とがカメラ１のＸ方向で重ならない事で、表示ユニット３のＺ方向の薄型化が可能となる。
【００２４】
本発明では、第二プレート１５の第二軸１４近傍の板金部１５−ａを、−Ｚ方向に延長させるよう、第二プレート１５に第二プレート凸部１５−ｂを設けている。第二プレート凸部１５−ｂの最も−Ｚ方向に配置された位置と第二軸１４との間の幅Ｄは、第二軸１４の回転中心からＬＣＤ窓収納部１６−ａまでのＺ方向幅Ｃよりも大きい。すなわち、幅Ｄ＞幅Ｃ＞幅Ｂの関係が成立する。
撮影者が表示ユニット３を１８０°回転状態から更に回転させた際、第二軸１４周囲の第二プレート１５周囲の単位面積あたりの力を減少させ、ヒンジユニット１０における第二軸１４周囲の第二プレート１５の変形を防止する。
【００２５】
不図示ではあるが、第二プレート１５と同様に、第一プレート１３の第二軸１４近傍の板金部１３−ａを、−Ｚ方向に延長させるよう、第一プレート１３に第一プレート凸部１３−ｂを設けている。プレート１３の最も−Ｚ方向に配置された位置は、第二軸１４の回転中心からＬＣＤ窓収納部１６−ａまでのＺ方向幅Ｃよりも大きい。
【００２６】
撮影者が表示ユニット３を１８０°回転状態から更に回転させた際、第二軸１４周囲の第一プレート１３周囲の単位面積あたりの力を減少させ、ヒンジユニット１０における第二軸１４周囲の第一プレート１３の変形を防止する。
【００２７】
以上、本発明の好ましい実施形態について説明したが、本発明はこれらの実施形態に限定されず、その要旨の範囲内で種々の変形及び変更が可能である。
【符号の説明】
【００２８】
１  カメラ、
１０  チルトヒンジユニット、１２  第一軸、１３  第一プレート、
１３−ａ  第一プレート凸部、１４  第二軸、１５  第二プレート、
１５−ａ  板金部、１５−ｂ  第二プレート凸部、１６  表示部外装、
１６−ａ  ＬＣＤ窓収納部、１７  ＬＣＤユニット、１８  両面テープ
【図１】
2020046607.tif 000003
【図２】
2020046607.tif 000004
【図３】
2020046607.tif 000005
【図４】
2020046607.tif 000006
【図５】
2020046607.tif 000007